(57)【要約】【課題】現像液の染出しを効果的に防止できるシール装置を提供すること。【解決手段】矩形状の外形の一辺に沿ったＸ方向の一端部に現像液ポッドが形成され他端部にトラップ部が形成されたインスタント写真の表面にラミネートフィルムを用いて一対のローラでシールを施すシール装置であって、一対のローラの少なくとも一方のローラのインスタント写真に当接される中間部分を一定径に構成するとともに現像液ポッド及びトラップ部の形成部分に対応する両側部分を中間部分よりも小径に構成した。【選択図】図７
2020075435.tif 000002
【特許請求の範囲】
【請求項１】
矩形状の外形の一辺に沿ったＸ方向の一端部に現像液ポッドが形成され他端部にトラップ部が形成されたインスタント写真の表面をラミネートフィルムによってシールするシール装置であって、
前記インスタント写真の裏面に当接して当該インスタント写真を載置する当接面を有する基台と、
前記基台に載置された前記インスタント写真と前記ラミネートフィルムとを同時に引き込んで当該インスタント写真の表面にラミネートフィルムを接着させる円柱状の一対のローラと、
を備え、
前記当接面は、引込み方向に直交する方向に前記Ｘ方向が合致するように前記インスタント写真を載置可能に構成され、
前記一対のローラのうちの少なくとも一方のローラは、前記インスタント写真に当接される中間部分が一定径に構成されるとともに前記現像液ポッド及び前記トラップ部に対応する両側部分に前記中間部分よりも径の小さい小径部が形成され、前記小径部と前記他方のローラとの間の空間に前記インスタント写真の前記現像液ポッド及び前記トラップ部の形成部分が受容可能となっていることを特徴とするシール装置。
【請求項２】
前記一方のローラの両端部には、前記現像液ポッド及び前記トラップ部の形成部分のうちで前記Ｘ方向の寸法が大きい形成部分が前記他方のローラとの間に受容可能となるような幅の前記小径部が形成されていることを特徴とする請求項１に記載のシール装置。
【請求項３】
前記他方のローラは、前記インスタント写真の表面に当接されるローラであり、前記一方のローラは、前記インスタント写真の裏面に当接されるローラであることを特徴とする請求項1又は請求項２に記載のシール装置。
【請求項４】
前記当接面には、前記現像液ポッド及び前記トラップ部の移動域に対応する部分が当該現像液ポッド及び当該トラップ部を受容可能となるような溝となっていることを特徴とする請求項３に記載のシール装置。
【請求項５】
前記当接面の両端部には、前記現像液ポッド及び前記トラップ部のうちで前記Ｘ方向の寸法が大きい部分が受容可能となるような幅の前記溝が形成されていることを特徴とする請求項４に記載のシール装置。
【発明の詳細な説明】
【技術分野】
【０００１】
本発明は、シール装置に関するものである。
【背景技術】
【０００２】
従来、シール装置として、一対のローラの間にカード及びラミネートフィルムを同時に差し込み、本体カバーを閉じた状態でダイヤル摘みを所定方向に回すことでカードとラミネートフィルムを接着させることで、カードの表面をシールするものが知られている（例えば、特許文献１参照）。
【先行技術文献】
【特許文献】
【０００３】
【特許文献１】意匠登録第１５０８０３５号公報
【特許文献２】特開２００６−０１８０４１号公報
【発明の概要】
【発明が解決しようとする課題】
【０００４】
しかしながら、特許文献１に開示されたシール装置では一対のローラの各々は円柱状となっていて、引き込んだカードの幅方向全域を一様に圧接するように構成されている。
このような構成は、カードのように厚みが均一のものには適するが、写真を形成するためにインスタント写真のシート間に現像液を展開するための現像液ポッド、及び、その際に余った現像液を回収するためのトラップ部が形成され、その現像液ポッド及びトラップ部が形成されている部分が膨らんでいるインスタント写真には適さない（例えば、特許文献２参照）。すなわち、このようなインスタント写真を特許文献１に開示されたシール装置でシールしようとすると、写真担持部だけでなく現像液ポッド及びトラップ部も強く圧接されることになり、現像液ポッドやトラップ部に残った現像液が染み出てしまい、写真やシール装置を汚してしまうという問題がある。
【０００５】
本発明は、現像液の染出しを効果的に防止できるシール装置を提供することを目的とする。
【課題を解決するための手段】
【０００６】
第１の手段は、
矩形状の外形の一辺に沿ったＸ方向の一端部に現像液ポッドが形成され他端部にトラップ部が形成されたインスタント写真の表面をラミネートフィルムによってシールするシール装置であって、
前記インスタント写真の裏面に当接して当該インスタント写真を載置する当接面を有する基台と、
前記基台に載置された前記インスタント写真と前記ラミネートフィルムとを同時に引き込んで当該インスタント写真の表面にラミネートフィルムを接着させる円柱状の一対のローラと、
を備え、
前記当接面は、引込み方向に直交する方向に前記Ｘ方向が合致するように前記インスタント写真を載置可能に構成され、
前記一対のローラのうちの少なくとも一方のローラは、前記インスタント写真に当接される中間部分が一定径に構成されるとともに前記現像液ポッド及び前記トラップ部に対応する両側部分に前記中間部分よりも径の小さい小径部が形成され、前記小径部と前記他方のローラとの間の空間に前記インスタント写真の前記現像液ポッド及び前記トラップ部の形成部分が受容可能となっていることを特徴とする。
ここで、「現像液ポッド及びトラップ部の形成部分」とは、現像液ポッド及びトラップ部そのものに限らず、現像液ポッド及びトラップ部が付設されたインスタント写真の本体部分をも含む。また、小径部を形成するローラはインスタント写真の表面側に当接されるローラであってもよいし、インスタント写真の裏面側に当接されるローラであってもよい。さらに、小径部は１つのローラだけに形成されていてもよいし、２つのローラに形成されていてもよい。
【０００７】
第２の手段は、第１の手段であって、前記一方のローラの両端部には、前記現像液ポッド及び前記トラップ部の形成部分のうちで前記Ｘ方向の寸法が大きい形成部分が前記他方のローラとの間に受容可能となるような幅の前記小径部が形成されていることを特徴とする。
【０００８】
第３の手段は、第１の手段又は第２の手段であって、前記他方のローラは、前記インスタント写真の表面に当接されるローラであり、前記一方のローラは、前記インスタント写真の裏面に当接されるローラであることを特徴とする。
【０００９】
第４の手段は、第１の手段〜第３の手段のいずれか一の手段であって、前記当接面には、前記現像液ポッド及び前記トラップ部の移動域に対応する部分が当該現像液ポッド及び当該トラップ部を受容可能となるような溝となっていることを特徴とする。
【００１０】
第５の手段は、第４の手段であって、前記当接面の両端部には、前記現像液ポッド及び前記トラップ部のうちで前記Ｘ方向の寸法が大きい部分が受容可能となるような幅の前記溝が形成されていることを特徴とする。
【発明の効果】
【００１１】
第１の手段によれば、その小径部と前記他方のローラとの間の空間に前記インスタント写真の前記現像液ポッド及び前記トラップ部の形成部分が受容可能となっているので、一対のローラによって現像液ポッド及びトラップ部が強く押されることがなく、現像液ポッド及びトラップ部からの現像液の染み出しを防止することができる。
【００１２】
第２の手段によれば、一方のローラの両端部には、現像液ポッド及びトラップ部の形成部分のうちでＸ方向の寸法が大きい形成部分が一方のローラとの間に受容可能となるような幅の小径部が形成されているので、インスタント写真の引込み方向の前後を反転しても現像液ポッド及びトラップ部からの現像液の染み出しを防止することができる。
【００１３】
第３の手段によれば、小径部が形成されたローラは、前記インスタント写真の裏面に当接されるローラであるので、小径部に現像液ポッド及びトラップ部が嵌まり込む一方で、インスタント写真の表面は平らに維持されるので、ラミネートフィルムが撓まず綺麗なシールが行えることになる。
【００１４】
第４の手段によれば、インスタント写真の当接面において、現像液ポッド及びトラップ部に対応する部分が溝となっているので、インスタント写真が当接面上を移動する際に現像液ポッド及びトラップ部が強く摺接されることがない。そのため、現像液ポッドやトラップ部が損傷するのを防止できる。
【００１５】
第５の手段によれば、当接面の両端部には、現像液ポッド及びトラップ部のうちでＸ方向の寸法が大きい部分が受容可能となるような幅の溝が形成されているので、インスタント写真の引込み方向の前後を反転しても現像液ポッド及びトラップ部の損傷を防止することができる。
【図面の簡単な説明】
【００１６】
【図１】実施形態に係るシール装置の蓋を開いた状態を示した斜視図である。
【図２】シール装置の蓋を閉じた状態を示した斜視図である。
【図３】シール装置の基台と蓋とを分離した状態を示した斜視図である。
【図４】インスタント写真を示した平面図及び側面図である。
【図５】ラミネートフィルムの裏面を示した底面図である。
【図６】シール装置の引出し部を引き出した状態を示した斜視図である。
【図７】一対のローラを示した正面図である。
【図８】位置決め機構を示した斜視図である。
【図９】シールの過程を示した模式的な側面図である。
【発明を実施するための形態】
【００１７】
以下、本発明のコマ発射装置を図面に示した実施形態に基づいて説明する。
【００１８】
《全体構成》
図１は、実施形態に係るシール装置の蓋を開いた状態を示した斜視図、図２は、シール装置の蓋を閉じた状態を示した斜視図、図３は、シール装置の基台と蓋とを分離した状態を示した斜視図である。
本実施形態のシール装置１００は、インスタント写真１０の表面にラミネートフィルム２０によってシールを施すためのものである。
シール装置１００は、基台３０と蓋４０とを備えている。蓋４０は、基台３０の上面を被覆する第１位置（図２）と、基台３０の上面を開放する第２位置（図１）との間で開閉動作する。
このシール装置１００で、シールを施すにあたっては、先ず、ラミネートフィルム２０の裏側の台紙２１の一部である台紙２１ａ（図５参照）を剥がし、それにより露出したラミネートフィルム２０の粘着面をインスタント写真１０の表面の一辺側に貼り付ける。そして、シール装置１００の蓋４０を開いた状態で、ラミネートフィルム２０の一部を貼り付けたインスタント写真１０を上下一対のローラ５０，５１の間に差し込む。次に、残りの台紙２１ｂが付着したラミネートフィルム２０を奥側に折り返し、蓋４０を閉じる。次に、基台３０の右側面奥に位置するダイヤル摘み５３を右方から見て反時計方向に回転させる。すると、インスタント写真１０の表面にラミネートフィルム２０が接着されるとともに、ラミネートフィルム２０の裏側の台紙２１ｂが分離され、表面にシールが施されたインスタント写真１０がシール装置１００の奥側の開口から排出される。
【００１９】
《細部構成》
１．インスタント写真１０について
図４左に示すように、インスタント写真１０は、矩形の写真部分１１と、当該写真部分１１を取り囲む余白部分１２とを備える。このインスタント写真１０のＸ方向一端部に位置する余白部分１２の裏側には現像液ポッド１３が形成され、他端部に位置する余白部分１２の裏側にはトラップ部１４が形成されている。現像液ポッド１３及びトラップ部１４の箇所の厚さは写真部分１１の厚さよりも大きくなっている。具体的には、図４右に示さすように、現像液ポッド１３及びトラップ部１４の箇所はインスタント写真１０の裏面に膨出している。
【００２０】
２．ラミネートフィルム２０について
ラミネートフィルム２０はインスタント写真１０の表面を保護又は装飾するために用いられる。
図５に示すように、ラミネートフィルム２０は、インスタント写真１０の表面全体に接着可能となるように、インスタント写真１０と同じ形状となっている。ラミネートフィルム２０の裏面（粘着面）には、粘着面を保護するための台紙２１が付設されている。台紙２１は、実施形態のラミネートフィルム２０では、２つに分離されている。１つは、ラミネートフィルム２０の送り方向（引込み方向）前端部に対応する帯状の台紙２１ａ、他の１つは、ラミネートフィルム２０の残り部分に対応する矩形状の台紙２１ｂである。台紙２１ａは、シール装置１００にインスタント写真１０を載置する前に剥離される。そして、台紙２１ａの剥離により露出したラミネートフィルム２０の粘着面がインスタント写真１０の一辺側に接着される。また、台紙２１ｂは、シール装置１００でインスタント写真１０の表面をシール装置１００によってシールする過程で剥がされる。
【００２１】
３．基台３０について
基台３０は、シールを行う際にその対象となるインスタント写真１０を載置するためのものである。
図１等に示すように、基台３０は、インスタント写真１０を載置する部分を構成する平板状の載置部３２と、載置部３２の左右に配置され載置部３２よりも上方に突出する壁３３，３３とを備える。載置部３２の上面には、載置部３２に載置されたインスタント写真１０の裏面が当接される当接面３５が形成されている。当接面３５は、当該当接面３５よりも僅かに上方に突出する縁３５ａによって３方（手前及び左右）が区画されている。
また、図６に示すように、載置部３２は奥側の本体部３２０と、手前側の引出し部３２１とから構成されている。引出し部３２１の前端部は把持部３２１ａを構成している。把持部３２１ａの奥側には差込み部３２１ｂが連設されている。把持部３２１ａは、引出し部３２１が本体部３２０に押し込まれた際、本体部３２０の手前側に当接される。一方、差込み部３２１ｂは引出し部３２１が本体部３２０に押し込まれた際、本体部３２０の上板の下側に潜り込む（図１参照）。このように載置部３２を引出し構造としたのは、上記Ｘ直交するＹ方向の寸法が異なる２種のインスタント写真１０に対応させるためである。
また、当接面３５には左右両端部に奥行き方向に延びる溝３６が形成されている。溝３６の深さは、現像液ポッド１３及びトラップ部１４のインスタント写真１０の裏面からの膨出量と同程度である。なお、２つの溝３６，３６は溝幅が同じとなっている。この場合の溝幅は、現像液ポッド１３及びトラップ部１４のうちでＸ方向の寸法が大きい方（実施形態では現像ポッド１３）が受容可能な幅となっている。これは、インスタント写真１０の引込み方向の前後を反転したときにも対処できるようにしたものである。
【００２２】
４．一対のローラ５０，５１について
一対のローラ５０，５１は、ラミネートフィルム２０をインスタント写真１０の表面に圧接するためのものである。
図７に示す一対のローラ５０，５１は左右の壁３３，３３にそれぞれ軸支されている。
上側のローラ５０は、インスタント写真１０の表面のＸ方向全域を担うことができるように円柱状に形成されている。このローラ５０の軸５０ａの右端部は壁３３から突出し、この突出部分にはダイヤル摘み５３が付設されている。ダイヤル摘み５３と軸５０ａとの間にワンウェイクラッチ（図示せず）が介在しており、ダイヤル摘み５３を一方向に回転させたときだけローラ５０が回転駆動される。
下側のローラ５１は、インスタント写真１０の表面のＸ方向全域を担うことができるように円柱状に形成されている。ただし、このローラ５１の左右には、インスタント写真１０の現像液ポッド１３及びトラップ部１４に対応する箇所に小径部５１ｂが形成されている。左右の小径部５１ｂの軸線方向に沿った長さ（幅）は同じとなっている。この場合の幅は、現像液ポッド１３及びトラップ部１４のうちでＸ方向の寸法が大きい方（実施形態では現像ポッド１３）が受容可能な幅となっている。これは、インスタント写真１０の引込み方向の前後を反転したときにも対処できるようにしたものである。このように構成されたローラ５１は軸５１ａを中心に空転可能に構成され、ローラ５０と協働してインスタント写真１０やラミネートフィルム２０を引き込み可能となっている。なお、ローラ５１はスプリングによってローラ５０の方向に付勢されていてもよい。
なお、小径部５１ｂの径は、現像液ポッド１３及びトラップ部１４の形成部分が小径部５１ｂとローラ５０との間の空間に丁度収まる程度とすることが好ましい。
【００２３】
５．位置決め機構６０について
一対のローラ５０，５１の奥には、図３に示すように、当接面３５に対して出没するストッパ６０，６０が左右に振り分けられて設けられている。ストッパ６０，６０は、図８に示すように、可動板６２に取り付けられている。可動板６２は、例えば、スプリング（図示せず）によって上方に付勢され、左右のストッパ６０，６０は蓋４０が開放されている状態では当接面３５から上方に突出している。そして、この突出した左右のストッパ６０，６０に一対のローラ５０，５１の間を通したインスタント写真１０を突き当てることによりインスタント写真１０の位置決めがなされる。
また、可動板６２は蓋４０を閉じた際に蓋４０裏の後述の突片４２により押され、スプリングの付勢力に抗して左右のストッパ６０，６０が当接面３５から没する。
【００２４】
６．蓋４０について
蓋４０は、一対のローラ５０，５１を被覆する機能と、ラミネートフィルム２０の台紙２１ｂを剥離を容易にする機能と、位置決め用の左右のストッパ６０，６０を作動させる機能を持つ。
蓋４０の基端部は基台３０の両側面に設けられた軸３０ａ（図３参照）に取り付けられ、蓋４０は軸３０ａを中心に開閉動作する。この蓋４０の内面には、可動板６２を動作させるための左右の突片４２、４２（図３参照）と、排出されるインスタント写真１０をガイドする左右の案内片４４，４４とが設けられている。なお、左右の突片４２，４２は基台３０に蓋４０が取り付けられる際に、左右の壁３３，３３のスリット３３ａ，３３ａ（図３参照）に挿入される。
【００２５】
《作用及び効果》
このように構成されたシール装置１００によれば次のような作用及び効果を奏する。
蓋４０を開いた状態で、ラミネートフィルム２０の一部を貼り付けたインスタント写真１０を上下一対のローラ５０，５１の間に差し込むと、インスタント写真１０の一辺が左右のストッパ６０，６０に突き当たり、定位置で止まる。
次に、残りの台紙２１ｂが付着したラミネートフィルム２０をローラ５０に沿わせて奥側に折り返し、蓋４０を閉じると、図９（Ａ）に示すように、台紙２１ｂが蓋４０の内面に当接されるので、当該ラミネートフィルム２０の戻りが防止されるとともに、台紙２１ｂが剥がしやすくなる。
この状態で、ダイヤル摘み５３を所定方向に回転させると、インスタント写真１０及びラミネートフィルム２０が一対のローラ５０，５１に引き込まれ、図９（Ｂ）に示すように、台紙２１ｂが徐々に剥がされながら、台紙２１ｂが剥がされた部分のラミネートフィルム２０がインスタント写真１０の表面に接着される。その際、インスタント写真１０は、当接面３５上を移動することになるが、インスタント写真１０の裏面の現像液ポッド１３及びトラップ部１４は溝３６内を移動するので、現像液ポッド１３及びトラップ部１４が擦れによって損傷を受けることがない。一方、一対のローラ５０，５１に引き込まれたインスタント写真１０の現像液ポッド１３及びトラップ部１４は上側のローラ５０と下側のローラ５１の小径部５１ｂとによって形成される空間に入るので、上側のローラ５０と下側のローラ５１とによって強く圧接されることがないことから、現像液が押し出されることもない。
【００２６】
《発明の変形例》
以上に本発明の実施形態を説明したが、本発明は、かかる実施形態に限定されるものではなく、その要旨を逸脱しない範囲で種々変形可能であることは言うまでもない。
例えば、上記実施形態では、手動でローラ５０を回すこととしたが、モータによってローラ５０を回す構造のシール装置にも適用できる。
【符号の説明】
【００２７】
１０    インスタント写真
１３    現像液ポッド
１４    トラップ部
２０    ラミネートフィルム
３０    基台
３２    載置部
３５    当接面
４０    蓋
５０，５１      ローラ
５１ｂ  小径部
１００  シール装置
【図１】
2020075435.tif 000003
【図２】
2020075435.tif 000004
【図３】
2020075435.tif 000005
【図４】
2020075435.tif 000006
【図５】
2020075435.tif 000007
【図６】
2020075435.tif 000008
【図７】
2020075435.tif 000009
【図８】
2020075435.tif 000010
【図９】
2020075435.tif 000011